(57)【要約】      （修正有）【課題】水が接触する部分を汚れ難くでき、また、掃除する場合に掃除しやすくする洗濯機を提供する。【解決手段】水槽１０内の水が循環する循環水路３５、排水路３８を備える洗濯機であって、第１の送水管２０、フィルタケース２２、リントフィルタを含む循環水路３５や、排水路３８に親水性コート５３を施すことで、親水性コート５３の防汚機能によって、水が接触する部分を汚れ難くでき、それらを清潔に保つことができる。また、それらを掃除する際には汚れが落ちやすく、掃除しやすくできる。【選択図】図１
2015058113.tif 000002
【特許請求の範囲】
【請求項１】
機内において水が接触する部分に親水性コートを施したことを特徴とする洗濯機。
【請求項２】
水槽内の水を循環させる循環水路を備え、前記親水性コートは、前記循環水路に施されていることを特徴とする請求項１記載の洗濯機。
【請求項３】
前記循環水路には、リント捕獲用のリントフィルタを収容するフィルタケースが設けられていて、前記親水性コートは、前記循環水路のうち前記水槽から前記フィルタケースに至る送水管に施されていることを特徴とする請求項２記載の洗濯機。
【請求項４】
前記循環水路には、リント捕獲用のリントフィルタを収容するフィルタケースが設けられていて、前記親水性コートは、前記フィルタケースに施されていることを特徴とする請求項２または３記載の洗濯機。
【請求項５】
前記循環水路には、リント捕獲用のリントフィルタを収容するフィルタケースが設けられていて、前記親水性コートは、前記リントフィルタに施されていることを特徴とする請求項２から４のいずれか一項記載の洗濯機。
【請求項６】
前記リントフィルタは、少なくとも一部が金属製であることを特徴とする請求項５記載の洗濯機。
【請求項７】
前記リントフィルタは、フィルタ保持部に対して着脱可能であることを特徴とする請求項３から６のいずれか一項記載の洗濯機。
【請求項８】
前記循環水路には、前記水槽内の水を吸い込んで吐出口から前記水槽内へ吐出させる循環ポンプが設けられていて、前記親水性コートは、前記循環水路のうち前記循環ポンプから前記吐出口に至る送水管に施されていることを特徴とする請求項２から７のいずれか一項記載の洗濯機。
【請求項９】
前記水槽内の水を機外へ排出する排水路を備え、前記親水性コートは、前記排水路に施されていることを特徴とする請求項１から８のいずれか一項記載の洗濯機。
【請求項１０】
前記排水路にリント捕獲用のリントフィルタが設けられていて、前記親水性コートは、前記リントフィルタに施されていることを特徴とする請求項９記載の洗濯機。
【請求項１１】
前記排水路には、リント捕獲用のリントフィルタを出し入れ可能に収容する箱状のフィルタケースが設けられていて、前記親水性コートは、前記フィルタケースに施されていることを特徴とする請求項９記載の洗濯機。
【請求項１２】
前記水槽内へ給水する給水路を備え、前記親水性コートは、前記給水路に施されていることを特徴とする請求項１から１１のいずれか一項記載の洗濯機。
【発明の詳細な説明】
【技術分野】
【０００１】
本発明の実施形態は、洗濯機に関する。
【背景技術】
【０００２】
例えばドラム式の洗濯機においては、水槽内の水を循環させる循環水路の途中に循環ポンプおよびフィルタユニットを設けたものがある。このものにおいては、循環ポンプを駆動して水槽内の水を循環水路を通して循環させ、この際に、洗濯物から出た糸屑などを、フィルタユニットにおけるフィルタケース内に設けたリントフィルタにて捕獲することができるようになっている。また、水槽内の水を排出する場合、排水路を通して機外へ排出する構成となっている。従来では、循環水路や排水路、あるいはリントフィルタなど、水が接触する部分が汚れ易く、またその汚れた部分を容易に掃除することができないものであった。
【先行技術文献】
【特許文献】
【０００３】
【特許文献１】特開２００９−２８５２８１号公報
【特許文献２】特開２００２−１５９７９０号公報
【発明の概要】
【発明が解決しようとする課題】
【０００４】
そこで、水が接触する部分を汚れ難くでき、また、掃除する場合に掃除しやすくできる洗濯機を提供する。
【課題を解決するための手段】
【０００５】
本実施形態の洗濯機は、機内において水が接触する部分に親水性コートを施したことを特徴とする。
【図面の簡単な説明】
【０００６】
【図１】第１実施形態による洗濯機の縦断側面図
【図２】循環水路におけるフィルタユニット部分の概略的な縦断側面図
【図３】図２のＸ３−Ｘ３線に沿う縦断正面図
【図４】リントフィルタをフィルタケースから引き出した状態を洗濯機の正面側から見た図
【図５】第２実施形態を示すもので、リントフィルタとフィルタ保持部を分離した状態の斜視図
【図６】第３実施形態による洗濯機を示すもので、機外の排水路に設けられたフィルタユニット部分の概略的な側面図
【図７】同フィルタユニットの分解斜視図
【発明を実施するための形態】
【０００７】
以下、複数の実施形態による洗濯機について図面を参照して説明する。なお、各実施形態において実質的に同一の構成部位には同一の符号を付し、説明を省略する。
（第１実施形態）
まず、第１実施形態について図１から図４を参照して説明する、図１には、乾燥機能を備えたドラム式の洗濯機１が概略的に示されている。この図１において、洗濯機１における洗濯機本体２の外殻を構成する外箱３は、ほぼ矩形箱状をなしていて、底部に台板４が設けられている。外箱３の前面側（図１の左側）の前面枠５は緩い円弧状の前下がりの傾斜状をなしていて、そのほぼ中央部には、洗濯物出入口６が形成されているとともに、この洗濯物出入口６を開閉する扉７が前後方向へ回動可能に設けられている。前面枠５の上部には、扉７の上方に位置させて操作パネル８が設けられ、この操作パネル８の裏面側に、マイクロコンピュータを主体とした制御装置９が設けられている。
【０００８】
外箱３の内部には、貯水が可能な水槽１０が配設されている。水槽１０は、サスペンション１１を介して台板４上に弾性的に支持されている。水槽１０は、前面が開口し、後面が閉塞された有底円筒状をなしていて、軸線が前後方向を向く横向きで、かつ前上がりの傾斜状態で配置され、前面の開口部が円筒状をなすべローズ１２を介して前記洗濯物出入口６に連通する状態で接続されている。水槽１０の内部には、洗濯物を収容する回転槽としてのドラム１３が回転可能に配設されている。このドラム１３は、水槽１０と同様に前面が開口し、後面が閉塞された有底円筒状をなしていて、軸線が前後方向を向く横向きで、かつ前上がりの傾斜状態で配置されている。ドラム１３は、この場合、金属例えばステンレス製の胴部１３ａと、合成樹脂製の底部１３ｂとを組み合わせて構成されている。ドラム１３の胴部１３ａには、通水および通風が可能な多数の透孔１４が設けられている。胴部１３ａの内面には複数のバッフル１５が設けられている。ドラム１３の前部の開口部の周縁部にはバランスリング１６が設けられている。ドラム１３の前面開口部は洗濯物出入口６に連通していて、その洗濯物出入口６を通してドラム１３内に洗濯物が出し入れ可能に収容される。
【０００９】
水槽１０の背面側には、ドラム１３を回転駆動するモータ１７が設けられている。このモータ１７は、例えばアウターロータ形のＤＣブラシレスモータからなり、ロータ１７ａに連結された回転軸１８が、水槽１０の底部を貫通してドラム１３の底部に直結されている。したがって、ドラム１３は、モータ１７によりダイレクトに回転駆動されるようになっている。
【００１０】
水槽１０の後部の下部には排水口１９が形成されていて、この排水口１９に、第１の送水管２０の一端部が接続されている。第１の送水管２０の他端部は、水槽１０の下方の前部に配設されたフィルタユニット２１におけるフィルタケース２２の入水口２３に接続されている。フィルタケース２２の前部には、フィルタ用キャップ２４が着脱可能に装着されている。前記前面枠５の下部には、フィルタ用キャップ２４の前方に位置させて、開閉可能なカバー２５が設けられている。そのカバー２５を開放させることで、ユーザが、前面枠５の前方からフィルタ用キャップ２４を着脱操作できる構成となっている。
【００１１】
フィルタ用キャップ２４の後面側には、図２および図４に示すように、リントフィルタ２６が装着されている。リントフィルタ２６は、この場合合成樹脂製で、上面側が開口した容器状をなしていて、周壁部および底部に通水が可能な孔２７が多数個形成されている。フィルタ用キャップ２４の外周部には雄ねじ部２８が設けられ、フィルタケース２２の入口部分の内周部には雌ねじ部２９が設けられている。リントフィルタ２６をフィルタケース２２内に前方から挿入し、フィルタ用キャップ２４を回転させて雄ねじ部２８をフィルタケース２２の雌ねじ部２９に螺合させることにより、リントフィルタ２６はフィルタケース２２に着脱可能に取り付けられる。ユーザは、前面枠５の前方からカバー２５を開放させた状態で、フィルタ用キャップ２４を回転操作することで、リントフィルタ２６をフィルタケース２２に対して出し入れすることが可能である。この場合、フィルタケース２２およびフィルタ用キャップ２４も合成樹脂製である。
【００１２】
前記フィルタケース２２の後部には、循環ポンプ３１が設けられている。この循環ポンプ３１の吸水口は前記フィルタケース２２に後方から連通している。この循環ポンプ３１の吐出部３２に、第２の送水管３３の一端部が接続されている。第２の送水管３３の他端部は、前記べローズ１２の外側を通って上方へ延びており、その先端部が、水槽１０の前面開口部の上部に設けられた吐出口３４に接続されている。この結果、水槽１０の排水口１９と吐出口３４とを繋ぐようにして循環水路３５が形成されている。この場合、循環水路３５は、水槽１０の排水口１９、第１の送水管２０、フィルタケース２２、第２の送水管３３、および吐出口３４により構成されていて、循環ポンプ３１は循環水路３５の途中に配置されている。
【００１３】
ここで、水槽１０内に水が貯留された状態で循環ポンプ３１が駆動されると、循環ポンプ３１は、図１の矢印Ａで示すように、水槽１０内の水を排水口１９から第１の送水管２０およびフィルタケース２２を通して吸入し、その吸入した水を、第２の送水管３３を通して吐出口３４からドラム１３内に向けて吐出（散水）するようになる（図２の矢印Ａも参照）。このようにして、循環ポンプ３１は、水槽１０内の水を、循環水路３５を通して循環させる。このとき、フィルタケース２２内を通る水に含まれたリントなどの異物が、リントフィルタ２６にて捕獲されるようになる。
【００１４】
フィルタケース２２の下部には排水弁３６が接続され、この排水弁３６に、排水管３７の一端部が接続されている。排水管３７の他端部は洗濯機本体２の外部である機外に導出されている。この場合、水槽１０の排水口１９に接続された第１の送水管２０、フィルタケース２２、排水弁３６、排水管３７は、水槽１０内の水を機外へ排出する排水路３８を構成している。この構成において、排水弁３６が開放されると、水槽１０内の水は、排水路３８を通して機外へ排出される。
【００１５】
前記フィルタケース２２の上部にはエアトラップ３９が設けられている。このエアトラップ３９と外箱３内の上部に設けられた水位センサ４０とは、エアチューブ４１によって接続されている。この結果、水位センサ４０は、水槽１０内の水位を、第１の送水管２０、フィルタケース２２、エアトラップ３９、およびエアチューブ４１を介して検出するもので、水位検出手段として機能する。
【００１６】
外箱３内の上部には給水弁４２および容器状の注水ケース４３が設けられていて、これら給水弁４２と注水ケース４３との間は接続管４４を介して接続されている。給水弁４２には、図示しない水道の蛇口に接続された機外給水ホースの先端部が接続される。注水ケース４３は、図示はしないが内部に洗剤貯留部を有している。この注水ケース４３には、機内給水ホース４５の一端部が接続されている。機内給水ホース４５の他端部は、水槽１０の上部に連通接続されている。この結果、水道から給水弁４２を介して供給される水は、接続管４４、注水ケース４３、機内給水ホース４５を介して水槽１０内に供給可能となっている。この場合、給水弁４２、接続管４４、注水ケース４３、機内給水ホース４５は、水道の水を水槽１０内へ供給する給水路４６を構成している。
【００１７】
そして、本実施形態の洗濯機１は、洗濯物を乾燥するための乾燥ユニットを備えている。この乾燥ユニットの概要につき説明する。水槽１０の外部に循環ダクト４８を備えている。この循環ダクト４８は、後部の下部が水槽１０内の下部に連通し、上部の前端部が水槽１０内の上部の前部に連通している。この循環ダクト４８の上部には、送風手段を構成する送風ファン４９、およびこれの下流側に位置させて加熱手段を構成するヒータ５０が設けられていて、これらにより乾燥用の温風を発生するとともに、該温風を循環ダクト４８を介して水槽１０内、ひいてはドラム１３内に循環供給可能としている。循環ダクト４８における送風ファン４９の上流側には、水槽１０の背面側に位置させて水冷式の除湿手段を構成する除湿器５１が設けられていて、この除湿器５１により、乾燥運転中の循環空気中から水分を除去するようにしている。
【００１８】
さて、本実施形態の洗濯機１においては、機内において水が接触する部分である、循環水路３５における第１の送水管２０の内面、フィルタケース２２の内面、第２の送水管３３の内面、吐出口３４の内面に、親水性能が高い親水性コート５３が設けられている。この親水性コート５３については、後述する。また、フィルタケース２２内に出し入れ可能に収容されるリントフィルタ２６の外面全体にも、同様の親水性コート５３が設けられている。さらに、本実施形態においては、排水路３８における排水管３７の内面、給水路４６における注水ケース４３の内面、接続管４４の内面、機内給水ホース４５の内面にも、同様の親水性コート５３が設けられている。さらに、本実施形態においては、水槽１０の内面、ドラム１３における底部１３ｂの内面および外面、バランスリング１６の外面、バッフル１５の外面にも、同様の親水性コート５３を設けるようにしている。
【００１９】
前記親水性コート５３は、例えばシリカ系の無機塗料など親水性能を有する塗料（以下、「親水性材料」と称する）を各部材に塗布などによりコーティングしたものである。本実施形態では、少なくとも以下の性能を有する親水性コート５３を形成する親水性材料が適用される。即ち、本実施形態の親水性コート５３は、水の接触角が４０度以下となる親水性能を有する。親水性材料の材質としては、ケイ素を主成分としたポリシラザン系、シラン系、オルガノシラン系、オルガノポリシロキサン系、シリコーン系、シロキサン系などがある。それ以外ではアクリル系、ウレタン系などがあり、親水性が優れていればどれでも良い。
【００２０】
また、洗濯機側の適用箇所の素材としては、ポリプロピレンを主体とした樹脂、ステンレスを主体とした金属がある。なお、樹脂素材としては、ポリプロピレンの他に、ＡＢＳ、ポリアセタール、ポリアミド、ポリエチレンテレフタレート、ポリブチレンテレフタレートがある。上記親水性材料の乾燥焼き付け温度と適用箇所の素材の耐熱性で組み合わせを決めればよく、塗膜が完全に無機化するような焼付け温度（２５０℃）が必要な親水性材料の場合は、適用素材としては金属あるいは耐熱性の高い樹脂の適用となる。また、コーティングは、親水性材料が基材に薄く広がることが基本であり、これを一般に濡れ性と呼んでおり、塗布箇所の表面は親水性材料の濡れ性が必要となり、必要に応じて各種の表面処理（アルカリ脱脂、ブラスト処理、コロナ放電処理、火炎処理など）が施される。いずれにしても、塗布する素材と親水性材料とを上手く組み合わせできればどの箇所にも適用は可能となる。また、塗布方法もスプレーコート、平面状態であればスピンコートやロールコートなどが可能である。塗布対象の形状が複雑なものであれば、どぶ浸けでも塗布可能であり、基材や形状、親水性材料も種類によって使い分けすればよい。
【００２１】
特に金属などの耐熱性が高い材料に親水性コートを施す場合、次のような親水性材料を用いることが好ましい。対象が耐熱性が高い材料の場合、コーティングした親水性材料を焼き付けることにより、親水性コートのコーティングを強固にすることができる。親水性材料の焼き付け温度は、一般的に有機物が分解する温度であると考えられている２５０℃よりも高い温度で設定することが好ましく、例えば３００℃、５００℃といった温度で設定するとよい。このような高温で親水性材料を焼き付けることにより、当該親水性材料に含まれる有機物を殆どあるいは完全に分解することができ、殆どあるいは完全に無機化された親水性コートを形成することができる。焼き付けられた親水性コートは、硬度が高く、少なくとも鉛筆硬度が５Ｈ以上となるようにすることが好ましい。
【００２２】
一般的に、ガラスに対する水の接触角の下限値は２０度と考えられている。耐熱性の高い材料に親水性コートを設ける場合、水の接触角が２０度未満である例えば１３度となる親水性コートを形成する親水性材料を適用することが好ましい。また、その親水性コートには、いわゆるシロキサン骨格とアルカリ金属あるいはアルカリ土類金属とからなる強固な構造が形成されており、これにより、親水性コートは、強固な構造を有する。
【００２３】
また、親水性コートはシラノール基を有しており、その親水性能が極めて高いものとなっている。具体的には、親水性コートは、当該親水性コートに付着した一般的な油性インクを、水を接触させるだけで取り除くことが可能なほどの親水性能を有する。よって、親水性コートに一般的な油性ペンのインクを付着させたとしても、その部分に水を接触させることにより、当該インクが水によって浮き上がるようにして剥離し、除去される。
【００２４】
また、耐熱性が高い材料に設けられる親水性コートは、１０μｍ以下の厚さで、その膜厚が極めて薄いものとすることができる。即ち、一般的に親水性能を高めたい場合には、親水性材料のコーティングを繰り返す必要があり、従って、得られる親水性コートの膜厚が厚くなってしまう傾向がある。本実施形態では、１回の親水性材料のコーティングにより、極めて高い親水性能を有する親水性コートが形成される親水性材料が適用されている。従って、親水性材料のコーティングを繰り返さなくとも、極めて高い親水性能を有する親水性コートを形成することができ、これにより、親水性コートの膜厚を１０μｍ以下という薄さに抑えることができる。
【００２５】
また、耐熱性が高い材料に設けられる親水性コートは、いわゆる表面粗さが２μｍ以内である。本実施形態では、このように極めて平滑な表面を有する親水性コートが形成される親水性材料が適用されている。また、本実施形態で適用される親水性材料は、対象物に付ける前の状態では乳白色であるが、付けた後には乳白色が殆ど認識できないほど透明となる。
【００２６】
本実施形態の洗濯機１によれば、次のような作用効果を得ることができる。機内の水と接触する部分として、この場合、循環水路３５における第１の送水管２０の内面、フィルタケース２２の内面、第２の送水管３３の内面、吐出口３４の内面、フィルタケース２２内に出し入れ可能に収容されるリントフィルタ２６の外面全体、排水路３８における排水管３７の内面、給水路４６における注水ケース４３の内面、接続管４４の内面、機内給水ホース４５の内面、水槽１０の内面、ドラム１３における底部１３ｂの内面および外面、バランスリング１６の外面、バッフル１５の外面に、それぞれ親水性コート５３を設けるようにしている。この構成によれば、それら循環水路３５における第１の送水管２０の内面、フィルタケース２２の内面、第２の送水管３３の内面、吐出口３４の内面、リントフィルタ２６の外面全体、排水路３８における排水管３７の内面、給水路４６における注水ケース４３の内面、接続管４４の内面、機内給水ホース４５の内面、水槽１０の内面、ドラム１３における底部１３ｂの内面および外面、バランスリング１６の外面、バッフル１５の外面を、親水性コート５３による防汚機能によって汚れ難くでき、それらを清潔に保つことができる。また、それらを掃除する際には汚れが落ちやすく、掃除しやすくできる。
【００２７】
また、洗濯運転（洗い、すすぎ）のたびに、給水路４６、排水路３８、循環水路３５に水が通ることで、それらの汚れが流されるようになるので、汚れが付着し難い。また、長期間使用しないなどで、それらが汚れてしまったとしても、洗濯運転を行うことによって簡単に汚れを落とすことが可能になる。さらに、水槽１０内に水を給水し、ドラム１３を回転させてあるいは撹拌し、さらに循環ポンプ３１を駆動して水槽１０内の水を循環させ、排水する槽洗浄コースを実行すれば、それぞれの行程によってより確実に汚れを落とすことが可能となる。
【００２８】
（第２実施形態）
次に第２実施形態について図５を参照して説明する。この第２実施形態は、第１実施形態とはリントフィルタの構成が異なっている。フィルタ用キャップ２４の後面には、フィルタ保持部５５が設けられていて、このフィルタ保持部５５にリントフィルタ５６が着脱可能に設けられている。
【００２９】
フィルタ保持部５５は、３本の棒状の支持部５７と、これら３本の支持部５７の後部に連結された後部フィルタ５８とを備えている。後部フィルタ５８には、複数の通水用の孔５９が設けられている。リントフィルタ５６は、前方から見てＶ字形をなす状態で前後方向に延びるように形成されていて、左右の両側部に引掛け部６０を有している。リントフィルタ５６にも、複数の通水用の孔６１が形成されている。
【００３０】
このリントフィルタ５６は、左右の引掛け部６０を、フィルタ保持部５５における上部の２本の支持部５７に引っ掛けるとともに、底部を下部の１本の支持部５７に受け支持させることにより、フィルタ保持部５５に着脱可能に保持されるようになっている。この場合、リントフィルタ５６は、ステンレスなどの金属板により形成されている。フィルタ保持部５５の支持部５７、後部フィルタ５８は、合成樹脂により形成されている。
【００３１】
そして、フィルタ保持部５５の合成樹脂製の支持部５７および後部フィルタ５８の外面には、前記親水性コート５３が設けられている。また、金属製のリントフィルタ５６の外面全体には、金属などの耐熱性が高い材料に適した親水性コート６２が設けられている。この場合、リントフィルタ５６は金属製であるから、このリントフィルタ５６の外面に親水性材料を塗布または吹き付けによりコーティングし、これを焼き付けることにより、親水性コート６２のコーティングを強固にすることができる。
【００３２】
上記した実施形態においては、リントフィルタ５６を金属製としているので、これに施す親水性コート６２を焼き付けで設けることができる。これにより、親水性コート６２を強固な構成とすることができ、一層剥がれ難くできる。また、リントフィルタ５６は、フィルタ保持部５５に対して着脱可能な構成としているので、リントフィルタ５６を単独で掃除することが可能となり、一層掃除がやり易くなる利点がある。
【００３３】
また、第１実施形態のドラム１３（図１参照）において、金属製の胴部１３ａの内面および外面の両方またはどちらか一方に、リントフィルタ５６と同様な親水性コート６２を焼き付けで設けるようにしてもよい。
【００３４】
（第３実施形態）
次に第３実施形態について図６および図７を参照して説明する。この第３実施形態は、第１実施形態とは特にフィルタユニットの構成が異なっている。洗濯機本体６５における外箱６６の側面の下部には管継ぎ手６７が設けられている。外箱６６内には、図示はしないが、機内排水管が設けられている。この機内排水管は、一端部が排水弁を介して水槽の排水口に接続され、他端部が外箱６６内において管継ぎ手６７の一端部に接続されている。管継ぎ手６７の他端部に、機外において第１の排水管６８の一端部が接続されている。第１の排水管６８の他端部は、機外用のフィルタユニット６９におけるフィルタケース７０の入水口７１に接続されている。
【００３５】
フィルタケース７０は、矩形の箱状をなしていて、入水口７１と対向する側となる前面側の出水口７２に第２の排水管７３が接続されている。フィルタケース７０内には、リントフィルタ７４が着脱可能に収容されるようになっている。リントフィルタ７４は、通水が可能な孔７４ａを多数個有していて、フィルタケース７０内を前後に仕切るように配置される。リントフィルタ７４の上部には、取手部７５が設けられている。フィルタケース７０は、これの洗濯機本体６５側における側面に設けられたフック７６を、洗濯機本体６５の外箱６６に設けられた図示しない引掛け部に引っ掛けることにより、外箱６６の側面に着脱可能に取り付けられている。
【００３６】
フィルタケース７０の上部には、これの上面開口部を開閉する蓋７８が着脱可能に装着されている。蓋７８は、係合片７９の係合孔８０を、フィルタケース７０の側面に設けられた係合凸部８１に係合させることにより抜け止め状態に装着される。蓋７８の下部にはパッキン８２が設けられていて、このパッキン８２により、蓋７８とフィルタケース７０の内周面との間を水密にシールする構成となっている。この場合、フィルタケース７０、蓋７８、およびリントフィルタ７４は、それぞれ合成樹脂製である。
【００３７】
この場合、水槽の排水口に接続された機内排水管、管継ぎ手６７、第１の排水管６８、フィルタケース７０、第２の排水管７３は、水槽内の水を機外へ排出する排水路８３を構成している。そして、排水路８３を構成するこれら機内排水管、管継ぎ手６７、第１の排水管６８、フィルタケース７０、第２の排水管７３のそれぞれの内面と、蓋７８の下面、リントフィルタ７４の外面全体に、第１実施形態と同様の親水性コート５３を設けている。
【００３８】
この構成において、排水弁が開放されると、水槽内の水は、排水路８４を通して機外へ排出される。このとき、フィルタケース７０内を流れる水に含まれたリントなどの異物が、リントフィルタ７４にて捕獲されるようになる。
【００３９】
上記した実施形態においても、排水路８３を構成する機内排水管、管継ぎ手６７、第１の排水管６８、フィルタケース７０、第２の排水管７３のそれぞれの内面と、蓋７８の下面、リントフィルタ７４の外面全体に、親水性コート５３を設けているので、それらを親水性コート５３の防汚機能によって汚れ難くでき、それらを清潔に保つことができる。また、それらを掃除する際には汚れが落ちやすく、掃除しやすくできる。
【００４０】
（その他の実施形態）
親水性コート５３，６２を設ける部位は、上記した部位に限られず、水と接触する部分であれば、有効である。
洗濯機としてはドラム式洗濯機に限られず、水槽および回転槽の軸方向が上下方向を向いた縦軸型の洗濯機にも適用できる。
【００４１】
以上説明したように本実施形態の洗濯機は、機内において水が接触する部分に親水性コートを施す構成とした。この構成によれば、水が接触する部分を汚れ難くでき、また、掃除する場合に掃除しやすくできる。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
図面中、１は洗濯機、２は洗濯機本体、３は外箱、１０は水槽、１３はドラム（回転槽）、１５はバッフル、１６はバランスリング、２０は第１の送水管（送水管）、２１はフィルタユニット、２２はフィルタケース、２４はフィルタ用キャップ、２６はリントフィルタ、３１は循環ポンプ、３３は第２の送水管（送水管）、３４は吐出口、３５は循環水路、３６は排水弁、３７は排水管、３８は排水路、４２は給水弁、４３は注水ケース、４４は接続管、４５は機内給水ホース、４６は給水路、５３は親水性コート、５５はフィルタ保持部、５６はリントフィルタ、６２は親水性コート、６５は洗濯機本体、６６は外箱、６７は管継ぎ手、６８は第１の排水管、６９はフィルタユニット、７０はフィルタケース、７３は第２の排水管、７４はリントフィルタ、７８は蓋、８３は排水路を示す。
【図１】
2015058113.tif 000003
【図２】
2015058113.tif 000004
【図３】
2015058113.tif 000005
【図４】
2015058113.tif 000006
【図５】
2015058113.tif 000007
【図６】
2015058113.tif 000008
【図７】
2015058113.tif 000009